(57)【要約】【課題】歩行者が携帯することにより、電気自動車等の車両の接近を感知して警報を発することができ、接触事故を未然に防ぐことが可能な携帯用車両接近感知装置を提供する。【解決手段】車両から発信される電波を受信可能な受信部と、音、振動、光の少なくとも一つからなる車両接近警報を発することが可能な警報発信部と、前記受信部で受信した信号が車両から発信されている信号であると判断した際に、前記車両接近警報を発信可能な信号を前記警報発信部に出力する制御部と、を携帯ケース内に配置したことを特徴とする。前記携帯ケースに緊急スイッチが設けられ、該緊急スイッチが操作された際に、前記制御部は警報発信部から緊急警報を発する。【選択図】  図２
2012022547.tif 000002
【特許請求の範囲】
【請求項１】
車両から発信される電波を受信可能な受信部と、音、振動、光の少なくとも一つからなる車両接近警報を発することが可能な警報発信部と、前記受信部で受信した信号が車両から発信されている信号であると判断した際に、前記車両接近警報を発信可能な信号を前記警報発信部に出力する制御部と、を携帯ケース内に配置したことを特徴とする携帯用車両接近感知装置。
【請求項２】
前記携帯ケースに緊急スイッチが設けられ、該緊急スイッチが操作された際に、前記制御部は警報発信部から緊急警報を発することを特徴とする請求項１に記載の携帯用車両接近感知装置。
【請求項３】
前記携帯ケースが、幼児が登下校時に携帯する防犯ブザーの携帯ケースであることを特徴とする請求項１または２に記載の携帯用車両接近感知装置。
【発明の詳細な説明】
【技術分野】
【０００１】
本発明は、電気自動車等の車両の接近を感知して警報を発することが可能な携帯用車両接近感知装置に関する。
【背景技術】
【０００２】
近年、バイブリット車を含む電気自動車が普及しており、この電気自動車は、エンジンのみを使用する通常の車両に比較して、走行時の音が極めて低くなっている。なお、電気自動車の衝突を防止する装置は、例えば特許文献１に開示されている。
【先行技術文献】
【特許文献】
【０００３】
【特許文献１】特許第４４５３４２７号公報
【発明の概要】
【発明が解決しようとする課題】
【０００４】
このような電気自動車にあっては、走行時のエンジン音が低いことから、歩行者の後方から接近する車両の音を、歩行者がエンジンのみで走行する通常の車両のように感知することが困難で、歩行者が急に進路を変更した場合等に、歩行者と車両が接触する虞がある。特に、歩行者が幼稚園児や小学生等の幼児や聴覚障害のある高齢者等の場合に、このように接触事故に遭遇し易い。
【０００５】
本発明は、このような事情に鑑みてなされたもので、その目的は、歩行者が携帯することにより、電気自動車等の車両の接近を感知して警報を発することができ、接触事故を未然に防ぐことが可能な携帯用車両接近感知装置を提供することにある。
【課題を解決するための手段】
【０００６】
かかる目的を達成すべく、本発明のうち請求項１に記載の発明は、車両から発信される電波を受信可能な受信部と、音、振動、光の少なくとも一つからなる車両接近警報を発することが可能な警報発信部と、前記受信部で受信した信号が車両から発信されている信号であると判断した際に、前記車両接近警報を発信可能な信号を前記警報発信部に出力する制御部と、を携帯ケース内に配置したことを特徴とする。
【０００７】
また、請求項２に記載の発明は、前記携帯ケースに緊急スイッチが設けられ、該緊急スイッチが操作された際に、前記制御部は警報発信部から緊急警報を発することを特徴とする。さらに、請求項３に記載の発明は、前記携帯ケースが、幼児が登下校時に携帯する防犯ブザーの携帯ケースであることを特徴とする。
【発明の効果】
【０００８】
本発明のうち請求項１に記載の発明によれば、携帯ケース内に配置された受信部で受信した信号が車両から発信されている信号であると制御部が判断した際に、警報発信部から車両接近警報を発するため、歩行者が携帯ケースを携帯するだけで、電気自動車等のエンジン音の低い車両であってもその接近を自動的に感知でき、歩行者と車両の接触事故を未然に防ぐことができる。
【０００９】
また、請求項２に記載の発明によれば、請求項１に記載の発明の効果に加え、携帯ケースに設けられた緊急スイッチが操作された際に、警報発信部から緊急警報を発するため、車両接近感知装置を例えば不審者に襲われた際の防犯装置としても使用できて、装置の使い勝手を向上させることができる。
【００１０】
さらに、請求項３に記載の発明によれば、請求項１または２に記載の発明の効果に加え、携帯ケースが幼児が登下校時に携帯する防犯ブザーの携帯ケースであるため、防犯ブザーに車両接近感知装置の機能を付与できて、幼児の登下校時の車両との接触事故を未然に防ぐことができる。
【図面の簡単な説明】
【００１１】
【図１】本発明に係わる携帯用車両接近感知装置の一実施形態を示す斜視図
【図２】同そのブロック構成図
【図３】同電気自動車の概略構成図
【図４】同そのブロック構成図
【図５】同車両接近感知装置の動作の一例を示すフローチャート
【発明を実施するための形態】
【００１２】
以下、本発明を実施するための最良の形態を図面に基づいて詳細に説明する。
図１〜図５は、本発明に係わる携帯用車両接近感知装置の一実施形態を示している。図１に示すように、車両接近感知装置１（感知装置１という）は、平面視長方形状（もしくは方形状）の扁平な携帯ケース２を有し、この携帯ケース２の表面には、感知装置１を動作可能な状態とする予約スイッチ３と、予約状態を解除する解除スイッチ４が配置されると共に、内部に配置された警報発信のためのスピーカ５用の透孔５ａが複数個形成されている。
【００１３】
また、携帯ケース２の一側面には、該携帯ケース２に対して出し入れ可能な緊急スイッチ６が設けられている。この緊急スイッチ６の端部には、首やランドル等に係止可能な携帯紐７が連結されており、緊急時にこの携帯紐７を矢印イの如く引っ張ることにより、図の二点鎖線で示すように、緊急スイッチ６が携帯ケース２から取り出され、これにより携帯ケース２内のスイッチが例えばオンするようになっている。
【００１４】
図２は、前記感知装置１のブロック図を示している。図２に示すように、携帯ケース２内には、ＣＰＵ８ａ、ＲＯＭ８ｂ、ＲＡＭ８ｃ、タイマ８ｄ等を有する制御部８が設けられ、この制御部８の入力側には、前記緊急スイッチ６と、予約スイッチ３及び解除スイッチ４が接続されると共に、受信部９が接続されている。この受信部９は、後述するハイブリット車からなる電気自動車１０に設けられた距離センサ１１の信号（電波）を受信可能に構成されている。
【００１５】
また、制御部８には、出力側に警報発信部１２が接続されると共に、乾電池からなる電源部１３が接続されている。さらに、前記警報発信部１２には前記スピーカ５が接続され、このスピーカ５から後述する車両接近警報や緊急警報が音で発信されるようになっている。この感知装置１は、例えば幼稚園児や小学生等の幼児が登下校時に携帯する防犯ブザー（防犯装置）として使用されるようになっている。
【００１６】
一方、前記電気自動車１０は、図３に示すように、前方の車輪間にエンジン及びモータ２４（図４参照）等を有するエンジン部１５が設けられると共に、前方のラジエータ１６の両端部と車体後方には、前記距離センサ１１が配置されている。なお、後方の車輪間にはバッテリィ１７が配置されている。そして、エンジンＣＰＵ１８には、図４に示すように、車両の速度を検出する車速センサ１９が接続されると共に、前記距離センサ１１が接続されている。この距離センサ１１は、例えば超音波を発信可能な発信部１１ａと、該発信部１１ａで発信され歩行者を含む障害物により反射された超音波を受信可能な受信部１１ｂと、距離を演算する演算処理部１１ｃ等によって構成されて、障害物までの距離が検出されるようになっている。
【００１７】
また、エンジンＣＰＵ１８には、スロットルアクチュエータ２０や燃料噴射装置２１、前記モータ２４等を有する前記エンジン部１５が接続されると共に、前記バッテリィ７が接続されている。この電気自動車１０は、エンジンＣＰＵ１８による制御で、エンジンが駆動することによりエンジン走行したり、バッテリィ１７でモータを駆動させることによりモータ走行が可能となるようになっている。なお、電気自動車１０の構成は、エンジンとモータを併用した例に限定されず、例えばモータのみで走行する適宜の構造を採用することもできる。
【００１８】
次に、前記感知装置１の動作の一例を図５のフローチャートに基づいて説明する。なお、このフローチャートは、前記制御部８のＲＯＭ８ｂに予め記憶されているプログラムにしたがって自動的に実行される。まず、携帯ケース２の予約スイッチ３がオン操作されると、プログラムがスタート（Ｓ１０１）し、解除スイッチ４がＯＦＦか否かが判断（Ｓ１０２）され、この判断Ｓ１０２は「ＹＥＳ」になるまで繰り返される。そして、判断Ｓ１０２で「ＹＥＳ」となると、すなわち予約スイッチ３がＯＮで解除スイッチ４がＯＦＦの場合は、緊急スイッチ６がＯＮか否かが判断（Ｓ１０３）される。
【００１９】
この判断Ｓ１０３で「ＹＥＳ」の場合、すなわち携帯紐７が引っ張られて緊急スイッチ６がＯＮ操作された場合は、制御部８から警報発信部１２に緊急警報信号が出力されて、スピーカ５から緊急警報が発信（Ｓ１０４）される。一方、判断Ｓ１０３で「ＮＯ」の場合、すなわち解除スイッチ４がＯＦＦで緊急スイッチ６もＯＦＦの場合は、前記距離センサ１１による車両信号（超音波）を受信したか否かが判断（Ｓ１０５）される。この判断Ｓ１０５で「ＮＯ」の場合、すなわち車両（電気自動車１０）の接近がなく車両からの超音波を受信部９が受信しない場合は、判断Ｓ１０３に戻る。
【００２０】
また、判断Ｓ１０５で「ＹＥＳ」の場合、すなわち車両が接近してきて車両から発信される超音波を受信部９が受信した場合は、制御部８から警報発信部１２に車両接近信号を出力して、前記スピーカ５から車両接近警報を発信（Ｓ１０６）する。そして、ステップＳ１０４及びステップＳ１０６で緊急警報や車両接近警報が発信されると、予め設定したタイマ８ｄの時間が経過したか否かが判断（Ｓ１０７）される。このときの時間は、所定の警報を持続するための時間であり、警報の種類に係わらず同一でも良いし、警報の種類によって異ならせることもできる。
【００２１】
判断Ｓ１０７で「ＹＥＳ」の場合、すなわちタイマ８ｄの時間が経過すると、解除スイッチ４がＯＮか否かが判断（Ｓ１０８）され、この判断Ｓ１０８で「ＮＯ」の場合は、判断Ｓ１０２に戻り、該ステップＳ１０２以降を繰り返す。一方、警報が所定時間発信され、警報状態が解消される等して、解除スイッチ４がＯＮ操作されると、判断Ｓ１０８で「ＹＥＳ」となり、一連のプログラムがエンド（Ｓ１０９）となる。
【００２２】
つまり、感知装置１の携帯ケース２を歩行者が携帯して予約スイッチ３をＯＮ操作するだけで、車両の接近を自動的に感知して、携帯ケース２内に設けたスピーカ５から例えば、音や音声で車両接近警報を発信して、歩行者に知らせることが可能となる。なお、以上の例においては、車両接近警報をスピーカ５からの音（音声）により歩行者に知らせるようにしたが、例えば図２の二点鎖線で示すように、警報発信部１２に、携帯電話のバイブレータ等からなる振動部材２２や、各色ＬＥＤ等からなる発光部材２３を接続することにより、音の他に振動や光の少なくとも一つの方法で歩行者に車両の接近を知らせるようにしても良い。
【００２３】
このように、前記感知装置１によれば、携帯ケース２内に配置された受信部９で受信した信号が電気自動車１０から発信されている信号であると制御部８が判断した際に、警報発信部１２からスピーカ５等を介して車両接近警報を発するため、歩行者が携帯ケース２（感知装置１）を携帯するだけで、電気自動車１０のようにエンジン音の低い車両であってもその接近を自動的に感知できて、幼児や聴覚に障害がある高齢者等の歩行者と電気自動車１０との接触事故を未然に防ぐことができる。
【００２４】
また、携帯ケース２に設けられた緊急スイッチ６が操作された際に、警報発信部１２から緊急警報を発するため、感知装置１を例えば不審者に襲われた際の防犯装置としても使用することができる。特に、携帯ケース２として幼児等が登下校時に携帯する防犯ブザーの携帯ケースが利用されているため、防犯ブザーに感知装置１の機能を簡単に付与できて、幼児等の登下校時の電気自動車１０との接触事故を未然に防ぐことができると共に、緊急時には従来と同様に防犯ブザーとして使用できて、使い勝手に一層優れた感知装置１を得ることが可能となる。
【００２５】
さらに、携帯ケース２内に受信部９を内蔵して、この受信部９で受信した信号を制御部８でソフト的に処理可能に構成することで対応できるため、既存の防犯ブザー等に大きな設計変更をすることなく適用できて、安価で使い勝手に優れ、かつ安全性や防犯性に優れた感知装置１を提供することができる。
【００２６】
なお、前記実施形態においては、感知装置１の受信部９が電気自動車１０から発信される距離センサ１１の電波を受信するようにしたが、本発明はこれに限定されず、例えば電気自動車１０等の車両から発信される各種電波を受信可能として、車両の接近を感知するようにしても良い。
【００２７】
また、前記実施形態においては、携帯ケース２が幼児等が登下校時に携帯する防犯装置（防犯ブザー）である場合について説明したが、例えば携帯電話に前記感知装置１の機能を付加して本願発明の感知装置としても良い。さらに、前記実施形態における携帯ケース２の形状、感知装置１のブロック図、スイッチ構成等は一例であって、例えば略円形の携帯ケースを使用する等、本発明の各発明に係わる要旨を逸脱しない範囲において、適宜に変更することができる。
【産業上の利用可能性】
【００２８】
本発明は、ハイブリット車等の電気自動車への利用に限らず、エンジン音が低減化されつつある四輪や二輪のエンジン車等の車両にも利用できる。
【符号の説明】
【００２９】
１・・・車両接近感知装置、２・・・携帯ケース、３・・・予約スイッチ、４・・・解除スイッチ、５・・・スピーカ、６・・・緊急スイッチ、７・・・携帯紐、８・・・制御部、８ａ・・・ＣＰＵ、８ｂ・・・ＲＯＭ、８ｃ・・・ＲＡＭ、８ｄ・・・タイマ、９・・・受信部、１０・・・電気自動車、１１・・・距離センサ、１２・・・警報発信部、１３・・・電源部、１５・・・エンジン部、１７・・・バッテリィ、１８・・・エンジンＣＰＵ、２２・・・振動部材、２３・・・発光部材、２４・・・モータ。
【図１】
2012022547.tif 000003
【図２】
2012022547.tif 000004
【図３】
2012022547.tif 000005
【図４】
2012022547.tif 000006
【図５】
2012022547.tif 000007